(57)【特許請求の範囲】
【請求項１】
糊剤により下着に固定可能な衛生生理用品に装着して用いられる天然素材で形成された布ナプキンシートであって、
該布ナプキンシートの長手方向両端付近にそれぞれ設けられ前記衛生生理用品に取り付けたり取り外したりするための着脱手段を有し、各着脱手段は、前記衛生生理用品の長手方向両端部にそれぞれ着脱するものであり、
前記各着脱手段を用いて前記衛生生理用品に取り付けられたときには、前記衛生生理用品の人体接触部分を覆い、前記衛生生理用品の下着側の全部又は一部は開放状態になっている開放部が形成され、当該開放部の前記糊剤の粘着力をもって前記下着に固定されることを特徴とする布ナプキンシート。
【請求項２】
前記着脱手段は、前記衛生生理用品の端部を通して該衛生生理用品に固定可能なバンドと、前記衛生生理用品の端部を挿入して固定可能なポケットと、前記衛生生理用品に予め備えられている下着に装着するための糊剤を利用して固定可能な接着部と、前記衛生生理用品に接触する面に設けられた摩擦部材と、前記衛生生理用品の端部を差し込んで固定可能な切り込みと、のうち少なくとも一つを用いて形成されていることを特徴とする請求項１に記載の布ナプキンシート。
【請求項３】
糊剤により下着に固定可能な衛生生理用品に装着して用いられる天然素材で形成された布ナプキンシートにおいて、
該布ナプキンシートの長手方向両端付近にそれぞれ設けられ前記衛生生理用品に取り付けたり取り外したりするための着脱手段であって、前記衛生生理用品の端部を通して該衛生生理用品に固定可能なバンドと、前記衛生生理用品の端部を挿入して固定可能なポケットと、前記衛生生理用品に接触する面に設けられた摩擦部材と、前記衛生生理用品の端部を差し込んで固定可能な切り込みと、のうち少なくとも一つを用いて形成された着脱手段を備え、
前記布ナプキンシートの長手方向両端付近に磁石部材をそれぞれ備え、または、前記着脱手段が前記バンドあるいは前記ポケットの場合は前記着脱手段は磁石部材で形成され、前記磁石部材により前記布ナプキンシートの長手方向両端部が互いに係止可能であることを特徴とする布ナプキンシート。
【発明の詳細な説明】
【技術分野】
【０００１】
本発明は、生理用ナプキン、おりものシート、尿漏れパット等の衛生生理用品に装着して使用する布製シート（以下、「布ナプキンシート」という。）に関する。
【背景技術】
【０００２】
従来、女性の生理用ナプキンや尿漏れ用ナプキンとしては、排泄物を吸収するものとして、保水性や防水性に優れた使い捨てができるポリエチレン、ポリエステル、ポリプロピレン、高分子吸収体などの化学繊維を用いたナプキン（以下、「ケミカルナプキン」という。）が知られている。（例えば、特許文献１を参照）。
【０００３】
また、このケミカルナプキンに対して、肌への安全性や繰り返し使える経済性、環境性を考慮した布や絹などの天然素材を用いたナプキン（以下、「布ナプキン」という。）も知られている。（例えば、特許文献２を参照）。
【先行技術文献】
【特許文献】
【０００４】
【特許文献１】特表２００９−５０７５４７号公報
【特許文献２】特開２００４−３３７２０４号公報
【発明の概要】
【発明が解決しようとする課題】
【０００５】
ケミカルナプキンの多くは糊剤等により簡便に下着に装着でき、安価に製造できるものの、化学繊維を原料としているため、素材による通気性の悪さからくるカブレや痒みなどの肌への負担がある。一方、天然素材を用いた布ナプキンは、肌への負担は軽減されるものの洗濯が増えたり、製造工程の手間が多くコストが高くなるという問題がある。また、ホックやボタンによって下着に装着するタイプのナプキンは、肌に当たり違和感や不快感を生じたり、装着時の美観が低下するという問題がある。
【０００６】
本発明は、上述のかかる事情に鑑みてなされたものであり、肌への負担を軽減し、洗濯の手間、着用時の違和感や不快感、装着時の美観の低下を改善することのできる布ナプキンシートを提供することを目的とする。
【課題を解決するための手段】
【０００７】
上記目的を達成するため、本発明に係る布ナプキンシートは、糊剤により下着に固定可能な衛生生理用品に装着して用いられる天然素材もしくは肌に優しい素材で形成された布ナプキンシートであって、該布ナプキンシートの長手方向両端付近に設けられ前記衛生生理用品に取り付けたり取り外したりするための着脱手段を有し、
当該着脱手段を用いて前記衛生生理用品に取り付けられたときには、前記衛生生理用品の人体接触部分を覆い、前記衛生生理用品の下着側の全部又は一部は開放状態（すなわち布ナプキンシートに覆われていない状態）になっていることを特徴とする。
【０００８】
ここで、衛生生理用品とは、所謂ケミカルナプキンと布ナプキンとを含む趣旨である。
本発明では、天然素材等の布ナプキンシートが人体に接触し、衛生生理用品は直接人体に接触しないので、肌への負担を軽減することができる。また、下着側には開放部が設けられるので、衛生生理用品の粘着力を用いて下着に固定することができる。
【０００９】
この布ナプキンシートは、装着する衛生生理用品の大きさ若しくはそれよりも若干小さい大きさで、一枚又は二枚合せの経血透過可能な布で形成するのが好ましい。
【００１０】
前記着脱手段は、衛生生理用品の端部を通して該衛生生理用品に固定可能なバンド、衛生生理用品の端部を挿入して固定可能なポケット、衛生生理用品に予め備えられている下着に装着するための糊剤を利用して固定可能な接着部、衛生生理用品に接触する面に設けられた摩擦部材、又は衛生生理用品の端部を差し込んで固定可能な切り込みのいずれかの手法であることを特徴とする。なお、前記接着部は、衛生生理用品の糊剤が付着されている範囲の一部に挿入して衛生生理用品と共に下着に固定されるように形成される。上述した着脱手段は、布ナプキンシートの長手方向の両端部に設けられるが、両端部は同じ手法を用いても良いし、異なる手法の組合せで実現するようにしても良い。
【００１１】
前記バンドは、布ナプキンシートの長手方向両端から所定長中心方向へ戻った位置であって、両ナプキンシート平面両端から引き出されていることを特徴とする。前記所定長は１〜３ｃｍの範囲、特に略２ｃｍが好ましい。また前記ポケットは、布ナプキンシートの長手方向端部に１ｃｍ〜３ｃｍ（好ましくは略２ｃｍ）の深さで裏返し可能に形成されるのが良い。
【００１２】
さらにこのバンドあるいはポケットをシート状の磁石部材で形成したり、布ナプキンシート本体の長手方向両端に磁石部材を介装することにより、布ナプキンシートを衛生生理用品の長手方向のみならず、短手方向に下着と共に巻いて固定して用いるような場合でも、良好に使用することができる。
【発明の効果】
【００１３】
以上のごとく、本発明による布ナプキンシートは、天然素材や肌に優しい素材の布を衛生生理用品の人体肌の接触部分との間に配置して使用されるため、衛生生理用品の化学繊維の影響等によるカブレや痒みという問題を解消することがきる。また、この布ナプキンシートは、衛生生理用品の表面上に装着されるので、漏れに対する不安もなく、経血は当該布ナプキンシートを透過して衛生生理用品に吸収されるため、当該布ナプキンシート自体に吸収体は必要なく、装着時のゴワゴワ感を無くし薄く形成することができる。このため洗濯においては、ハンカチを洗うように簡単に手洗いができる上に乾きも早く、衛生的である。
【００１４】
また、この布ナプキンシートは、糊剤により下着に固定可能な衛生生理用品に装着するため、ホックやボタンによって下着に装着するタイプのナプキンに比べて外観的に違和感なく、また従来のような吸収機能を有する布地を使わないので、コストも掛からないという利点がある。特に、布ナプキンシートを通すことによって経血の広がりを調整するため、布ナプキンシートだけを取り替えるだけで済み、衛生生理用品の取り替え回数が少なくなるので経済性や環境性も向上する。
【図面の簡単な説明】
【００１５】
【図１】本実施の形態による布ナプキンシートの概要説明図である。
【図２】本発明の実施例１に係る布ナプキンシートの構成図であり、図２（ａ）は正面図、図２（ｂ）は右側面図、図２（ｃ）は背面図、図２（ｄ）は底面図である。
【図３】図２の布ナプキンシートの製造方法の説明図であり、図３（ａ）は２つの本体片の間に着脱手段（バンド）を挟んだ状態の正面図、図３（ｂ）は図３（ａ）の底面図、図３（ｃ）は図３（ａ）の状態で縫合したときの縫合線を示す図である。
【図４】本発明の実施例２に係る布ナプキンシートの構成図であり、図４（ａ）は正面図、図４（ｂ）は右側面図、図４（ｃ）は背面図、図４（ｄ）は底面図である。
【図５】本発明の実施例３に係る布ナプキンシートの構成図であり、図５（ａ）は正面図、図５（ｂ）は右側面図、図５（ｃ）は背面図、図５（ｄ）は底面図である。
【図６】本発明の実施例４に係る布ナプキンシートの構成図であり、図６（ａ）は正面図、図６（ｂ）は右側面図、図６（ｃ）は背面図、図６（ｄ）は底面図である。
【図７】本発明の実施例５に係る布ナプキンシートの構成図であり、図７（ａ）は正面図、図７（ｂ）は右側面図、図７（ｃ）は背面図、図７（ｄ）は底面図である。
【図８】本発明の第２の実施の形態における布ナプキンシートの装着状態の説明図である。
【図９】本発明の第２の実施の形態における布ナプキンシートの装着準備段階の説明図である。
【図１０】本発明の第２の実施の形態における他の実施例による布ナプキンシート本体の構成の説明図である。
【図１１】本発明の第３の実施の形態によるバンドを用いた布ナプキンシートの構成図であり、図１１（ａ）は正面図、図１１（ｂ）は右側面図、図１１（ｃ）は背面図、図１１（ｄ）は底面図である。
【図１２】本発明の第３の実施の形態によるポケットを用いた布ナプキンシートの構成図であり、図１２（ａ）は正面図、図１２（ｂ）は右側面図、図１２（ｃ）は背面図、図１２（ｄ）は底面図である。
【図１３】本発明の第３の実施の形態における布ナプキンシートの装着方法の説明図である。
【発明を実施するための形態】
【００１６】
以下に本発明に係る布ナプキンシートの第１の実施の形態を図面に基づいて説明する。
図１において、本実施の形態による布ナプキンシート１は、概略的には布ナプキンシート本体（以下、単に「本体」とういう。）１０と、本体１０の長手方向付近に設けられた着脱手段２０とで構成される。この着脱手段２０は、本体１０をケミカルナプキン２へ取り付けたり、取り外したりするものである。なお、以下の説明において、布ナプキンシート１をケミカルナプキン２に装着する場合について説明するが、本発明による布ナプキンシート１は、これに限られず、糊剤により下着に固定可能な衛生生理用品に対して適用可能である。
【００１７】
本体１０は、経血透過可能であって綿や絹などの天然素材やその他の肌に優しい素材（以下、単に「天然素材」という。）で作ることができる。この本体１０はケミカルナプキン２と短手方向、長手方向共にそれぞれ同程度のサイズで形成するのが好ましい。ただし、本体１０のサイズはこれに限られず、少なくともケミカルナプキン２に装着したときに当該ケミカルナプキン２の人体に接触する部分が本体１０に覆われていれば十分である。
【００１８】
（実施例１）
以下、着脱手段２０として、伸縮素材で形成された２つのバンド２１ａ，２１ｂを用いた実施例に基づいて説明する。図２に示すように、このバンド２１ａ，２１ｂ、本体１０の長手方向の両端からそれぞれ一定の長だけ中央方向へよった位置に取り付けられている。一定の長さは、たとえば１ｃｍ程度にすることができるが、ケミカルナプキン２に安定的に装着できればこれに限られるものではない。バンド２１ａ，２１ｂの長さは、本体１０の幅と同じである。
【００１９】
以下、本実施例による布ナプキンシート１の製造方法について説明する。図３（ａ）にいおいて、長手方向を縦（上下方向）として、ケミカルナプキン２より一回り大きいサイズの本体片１０ａ，１０ｂを用意する。なお、本実施例による布ナプキンシートにおいては縦方向については、１〜２ｃｍ程度小さくても良い。そして、本体片１０ａ，１０ｂの間に２つのバンド２１ａ，２１ｂを上下端からそれぞれ１ｃｍの位置に横長に配置する。即ち、図３（ｂ）に示すように２つのバンド２１ａ，２１ｂを本体片１０ａ，１０ｂでサンドイッチ状態に挟む。このように本体片１０ａ，１０ｂが重ねられた状態で２つのバンド２１ａ，２１ｂと共に周囲を縫合する。図３（ｃ）において縫合線５でこの状態を示す。このとき、周囲全体を縫合するのではなく、本体片１０ａ，１０ｂの未縫合の箇所６を少し（たとえば２ｃｍ程度）残しておく。この未縫合箇所から本体片１０ａ，１０ｂで覆われた内部である内側と外側（以下、内外という）を反転させると、図２に示すように２つのバンド２１ａ，２１ｂが表面に露出する。この状態で完成とすることにしても良いが、さらに本体片１０ａ，１０ｂの縁を、縁から２ｍｍ程度で一周縫い合わせるようにしても良い。
【００２０】
このようにして製造された布ナプキンシート１の本体１０の長手方向両端付近にはバンド２１ａ，２１ｂが取り付けられた状態になっている。このバンド２１ａ，２１ｂは本体１０と同様の布、たとえば天然素材の無地の布で形成することもできるが、伸縮性のある天然素材やシリコンなどの人工素材などを用いることもできる。このバンド２１ａ，２１ｂにより、ケミカルナプキン２に適度な締め付け力をもって滑りにくい状態で装着することができる。使用時は、バンド２１ａ，２１ｂをケミカルナプキン２の長手方向の端部から通し、バンド２１ａ，２１ｂと本体１０との間に出来た空間にケミカルナプキン２を挿入する。そして、図２において本体１０がケミカルナプキンの肌に当たる側になるように装着する。使用後はバンド２１ａ，２１ｂを伸ばすようにして容易に外すことができる。
【００２１】
従来の布ナプキンの場合は、下着との固定にホックやボタンといった金具を使用するので、肌に当たった際に違和感を生じ、洗濯も面倒であったが、本実施例による布ナプキンシート１は、そのような違和感を生じさせず洗濯も容易になる。また、バンド２１ａ，２１ｂの締め付け力により使用時のケミカルナプキン２からのずれを抑制することができる。また、ケミカルナプキン２の下着側は布ナプキンシート１の本体１０で覆われていないので、ケミカルナプキンが本来有している粘着力によって下着に安定的に装着することができる。
【００２２】
（実施例２）
次に図４に基づいて着脱手段２０として、２つのポケット２２ａ，２２ｂを用いた実施例を説明する。本実施例は、ケミカルナプキン２への着脱手段２０をポケットとした布ナプキンシートである。ポケット２２ａ，２２ｂは、本体１０の長手方向の両端にそれぞれ設けられ、ケミカルナプキン２の長手方向の末端部と形状を同じくする。このポケット２２ａ，２２ｂは、実施例１で用いた素材を用いることもできるが、本体１０と同じ天然素材あるいは伸縮性のある素材を用いるのが好ましい。本体１０の縦横のサイズはケミカルナプキンと同じである。
【００２３】
次に本実施例による布ナプキンシート１の製造方法について説明するが、基本的には実施例１と同様であるので特に図示しない。
【００２４】
向い合わせにされた本体片１０ａ，１０ｂの間にポケット２２ａ，２２ｂを配置する。即ち、２つのポケット２２ａ，２２ｂを本体片１０ａ，１０ｂでサンドイッチにした状態にする。なお、ポケット２２ａ，２２ｂは、ケミカルナプキンの上下の末端部とそれぞれ形状を同じくするものである。
【００２５】
そして本体片１０ａ，１０ｂの周囲をポケット２２ａ，２２ｂと共に縫合する。このとき、周囲全体を縫合するのではなく、本体片１０ａ，１０ｂの未縫合の箇所を少し残しておくのは実施例１と同様である。この未縫合箇所から内外を反転させてポケット片を露出させる。そして、必要により本体片１０ａ，１０ｂの縁を一周縫い合わせて布ナプキンシート１を完成させる。ポケット２２ａ，２２ｂの深さは１〜３ｃｍ程度が好ましいがこれに限られるものではない。
【００２６】
使用時は、このポケット２２ａ，２２ｂにケミカルナプキン２の長手方向の末端部をそれぞれ差し込むことによって、布ナプキンシート１をケミカルナプキン２に装着する。
【００２７】
（実施例３）
次に図５を用いて、着脱手段２０として布ナプキンシートの長手方向の両端からそれぞれ延出する布片２３ａ，２３ｂを用いた実施例を説明する。
【００２８】
本実施例はケミカルナプキン２に予め備えられている、下着に装着するための糊剤を利用したものである。本実施例による布片２３ａ，２３ｂのサイズは、縦５ｃｍ×横１ｃｍ程度の長方形のシリコンシートなど糊剤につけても簡単に脱着可能な素材を用いることができる。
【００２９】
次に本実施例による布ナプキンシート１の製造方法について説明する。
向い合わせの２枚の本体片１０ａ，１０ｂの間に、長手方向の上下端のそれぞれから中心方向に向けて紐状の布片を縦長に配置する。そして、２枚の本体と共に布片を縫い合わせ、未縫合箇所から内外を反転させると、図５に示すように布本体の上下端から布片が突出している形態になっている。使用時は、この布片２３ａ，２３ｂをケミカルナプキン２の下着面側に回す。このケミカルナプキンの下着面には糊剤が施されているので、これにより布片が固定される。この状態で本布ナプキンシートが装着されたケミカルナプキン２が下着に付着されると、布片と下着との摩擦によってさらに抜けづらくなるので、布ナプキンシート１を安定的にケミカルナプキン２に取り付けることができる。
【００３０】
（実施例４）
次に、着脱手段２０として、布ナプキンシートの裏面すなわちケミカルナプキン側に摩擦部材２４ａ，２４ｂを用いた実施例を図６に示す。
【００３１】
この摩擦部材は、本体表面に直接付着させるものである。これにより、着用時に、下着と人体とのあっぱく力により、布ナプキンシートの摩擦部材とケミカルナプキンとの摩擦によってずれを防止することができる。
【００３２】
（実施例５）
次に、着脱手段２０として、本体片１０ａ，１０ｂに切り込みを入れた実施例を図７に示す。本体片１０ａ，１０ｂは、ケミカルナプキンの縦幅よりも所定長（たとえば２ｃｍ）短くして、本体の上下端からそれぞれ１ｃｍ程度のところ２箇所に、左右の端３ｍｍ程度残すように横方向に切り込み２５ａ，２５ｂを入れる。使用時には、この切り込みにケミカルナプキン２の上下端をそれぞれ挿入することによって、布ナプキンシートをケミカルナプキンに装着する。
【００３３】
以上、本実施の形態によれば、ケミカルナプキン表面が直接人体肌に接触しないので、ケミカルナプキンの化学繊維の影響等によるカブレや痒みという問題を解消することがきる。また、経血は当該布ナプキンシートを透過してケミカルナプキンに吸収されるため、当該布ナプキンシート自体に吸収体は必要なく、薄く肌触りの良い天然素材を用いて形成することができる。このため洗濯においては、ハンカチを洗うように簡単に手洗いができる上に乾きも早く、衛生的に反復して使用することができる。
【００３４】
なお、本実施の形態では、２枚の布を合せて布ナプキンシートを製造する場合について説明したが、勿論１枚の布で製造するようにしても良い。特に実施例１のバンド等で天然素材とは異なる素材を使用する場合は、付け心地あるいは布ほつれ等の見た目の効果を考慮して、２枚合せにするのが良い。また、２枚あわせにする際に、布ほつれを防ぐのに２枚の布の端をそれぞれ折り返して縫い合わせることによってその縫い合わせ部分は４枚（４層）になる。このため、本実施の形態による布ナプキンシートは、その外周が少し盛り上がることになるため横漏れ防止の土手の効果を有する。また、繰り返し洗いの際の型崩れの予防にもなる。なお、２枚重ねに限らず、３枚，４枚などさらに重ねることも勿論可能である。しかしながら、表面に現れない内側の布が存在することになるため、この布部分がしっかりと洗浄されているか、また乾いているかの確認が困難になる。したがって、繰り返し洗いの際の利便性を考慮すると２枚合せとするのが最適である。
【００３５】
また、布の素材は綿や絹の天然素材がよく、特に絹は人間の肌細胞と同様のタンパク質を原料としているので肌なじみが良く、抗菌性，保温性，通気性の特徴を活かし、表裏の２枚の本体布のうちの少なくとも１枚を絹にするのが好ましい。
【００３６】
本実施の形態の布ナプキンシートのサイズは、基本的にケミカルナプキンに基づいて定められる。例えば昼用、夜用など月経血の状態によってケミカルナプキンのサイズが分かれているので、これらのサイズに合せた布ナプキンシートを用いるのが好ましい。
【００３７】
次に本発明の第２の実施の形態について説明する。
本実施の形態は、第１の実施の形態で説明した実施例１，２の着脱手段２０であるバンド、ポケット片としてシート状の磁石部材（マグネットシート）を使用したものである。なお、マグネットシートに代えて、布に磁性体材料を混入し又はマグネットシートを貼付するようにしても良い。マグネットシートとしては、その表面同士を接近させたとき、十分吸引力を発揮するものを使用する。
【００３８】
以下、着脱手段２０として、マグネットシートなどの磁性による吸引力を用いた場合の布ナプキンシートの使用例を示す。
【００３９】
まず、標準的な使用方法は、第１の実施の形態の実施例１および実施例２で述べたとおりである。図８は、本布ナプキンシートをケミカルナプキンと共に下着に巻きつけて使用する際の説明図である。この図において、使用者は、ケミカルナプキンをまず下着へ貼付し、布ナプキンシートの長手方向で巻きつけるものである。このとき、布ナプキンシートの両端部の着脱手段２０を予め図９のように互い違いにしておく。すなわち一方が布ナプキンシートの表側を向いている場合は、他方は裏側を向くようにしておく。そうすると、布ナプキンシートを巻いたときに、着脱手段が対峙して、両面が接触しその吸引力によって安定的に止めることができる。
【００４０】
本実施の形態による布ナプキンシートによれば、第１の実施の形態で述べた使用方法に限定されず、布ナプキンシートをケミカルナプキンとともに下着に巻きつけて使用することができるので、多様的な使用が可能になる。特にケミカルナプキンの粘着力が弱いような場合や第１の実施の形態での使用方法が合わない使用者にとって有益な効果を奏するものである。
【００４１】
（マグネットシートの他の実施例）
なお、第１の実施の形態の実施例１〜実施例５による布ナプキンシート１において、その本体片１０ａ，１０ｂの間にマグネットシート２６ａ，２６ｂを介装するようにしても良い。すなわち、図１０に示すように、マグネットシート２６ａ，２６ｂを布ナプキンシート１の本体１０の両端に備え、さらに各実施例１〜５のいずれかの着脱手段２０（図示せず）を備えることにより、布ナプキンシート１をケミカルナプキン２の長手方向、短手方向のいずれの方向にも装着することができる。
【００４２】
次に本発明の第３の実施の形態について説明する。
本実施の形態は、第１の実施の形態で説明した実施例１，２の構成のバンド、ポケット片の形状において中央部分の寸法を長くして凸状にしたことを特徴としている。
【００４３】
たとえば、図１１は、図２のバンドの中央部分の寸法を両端に比べて長くしたもの、図１２は、図４のポケットの中央部分を両端に比べて長くしたものである。
【００４４】
この構成により、第２の実施の形態で説明したように、ケミカルナプキンと下着とを一緒に包んで使用するときに、図１３のように、表裏で反転された着脱手段２０を係止させることができる。なお図１３は、図８におけるＡ−Ａ断面に相当する方向から見たときの下着３とケミカルナプキン２を布ナプキンシート１で包む際の概要図である。
【００４５】
ポケット型についても同様であり、中央が幅広になっている凸状形態であるがゆえに、図１２のようにして係止させることができ、これにより巻いた状態を安定的に維持することができる。
【００４６】
図１１、図１２に示す布ナプキンシート１は、第１の実施の形態で説明した使用方法、すなわちケミカルナプキン２の長手方向両端に布ナプキンシート１の着脱手段２０を装着するという方法で使用することも可能であることは言うまでもない。
【００４７】
本実施の形態によるバンドまたはポケットは、本体よりも硬いあるいは厚い素材で形成するのが係止状態を維持する上で好ましい。なお、バンドまたはポケットの素材を第２の実施の形態で説明したマグネットシートや磁性体を含む素材にした場合は、本実施の形態による形状との相乗効果により、その厚さをより薄くすることができる。
【００４８】
なお上記各実施例の図２、図４〜図７、図１１および図１２において、左側面図は右側面図に対称、平面図（上面図）は底面図に対称に現れる。
【符号の説明】
【００４９】
１    布ナプキンシート
２    ケミカルナプキン
３    下着
５    縫合線
６    未縫合箇所
１０    布ナプキンシート本体（本体）
１０ａ，１０ｂ    本体片
２０    着脱手段
２１ａ，２１ｂ    バンド
２２ａ，２２ｂ    ポケット
２３ａ，２３ｂ    布片
２４ａ，２４ｂ    摩擦部材
２５ａ，２５ｂ    切り込み
２６ａ，２６ｂ    マグネットシート
【要約】
【課題】  肌への負担を軽減し、洗濯の手間、着用時の違和感や不快感、装着時の美観の低下を改善すること。
【解決手段】  糊剤により下着に固定可能な衛生生理用品に装着して用いられる天然素材もしくは肌に優しい素材で形成された布ナプキンシートに対して、該布ナプキンシートの長手方向両端付近に設けられ前記衛生生理用品に取り付けたり取り外したりするための着脱手段を備え、当該着脱手段を用いて衛生生理用品に取り付けられたときには、衛生生理用品の人体接触部分を覆い、衛生生理用品の下着側の全部又は一部は開放状態になっていることを特徴とする。
【選択図】      図１【図１】
0005926416.tif 000002
【図２】
0005926416.tif 000003
【図３】
0005926416.tif 000004
【図４】
0005926416.tif 000005
【図５】
0005926416.tif 000006
【図６】
0005926416.tif 000007
【図７】
0005926416.tif 000008
【図８】
0005926416.tif 000009
【図９】
0005926416.tif 000010
【図１０】
0005926416.tif 000011
【図１１】
0005926416.tif 000012
【図１２】
0005926416.tif 000013
【図１３】
0005926416.tif 000014